(57)【要約】【課題】１．ユニット体を継ぎ手本体に挿入設置しやすいようにし、施工性を向上させる。２．蓋体と継ぎ手本体の取付口１２の取付を簡単・手軽に行えるようにし、施工性を向上させる。３．ユニット体が誤って取り付けられることを防止する。【解決手段】管体から構成される取付口１２を開口した継ぎ手本体１と、継ぎ手本体１内に配置されるユニット体２と、継ぎ手本体１の取付口１２に着脱自在に取り付けられる、前記ユニット体２と一体的に構成された蓋体３と、蓋体３が継ぎ手本体１に対して位置決めするよう構成される位置決め部４と、から構成される排水継ぎ手部材において、前記継ぎ手本体１に対してユニット体２が位置決めされた状態であって、尚かつ蓋体３が継ぎ手本体１の取付口１２に着脱自在に取り付ける取付手段５を備えたことを特徴とする排水継ぎ手部材である。【選択図】図１
2014198978.tif 000002
【特許請求の範囲】
【請求項１】
管体から構成される取付口１２を開口した継ぎ手本体１と、
継ぎ手本体１内に配置されるユニット体２と、
継ぎ手本体１の取付口１２に着脱自在に取り付けられる、前記ユニット体２と一体的に構成された蓋体３と、
蓋体３が継ぎ手本体１に対して位置決めするよう構成される位置決め部４と、
から構成される排水継ぎ手部材において、
前記継ぎ手本体１に対してユニット体２が位置決めされた状態であって、尚かつ蓋体３が継ぎ手本体１の取付口１２に着脱自在に取り付ける取付手段５を備えたことを特徴とする排水継ぎ手部材。
【請求項２】
前記取付手段５を、蓋体３及び取付口１２に構成された凸又は凹、及び両者の凸又は凹を挟んで接続するクイックファスナー５２によって構成したことを特徴とする前記請求項１に記載の排水継ぎ手部材。
【請求項３】
前記取付手段５を、蓋体３又は継ぎ手本体１のいずれか一方に構成した係合爪５３と、当該係合爪５３に対応する蓋体３又は継ぎ手本体１のいずれか他方に構成した被係合部５４と、から構成したことを特徴とする前記請求項１に記載の排水継ぎ手部材。
【請求項４】
前記取付手段５を、蓋体３とは別体で構成されたリング状のグリップ部５６を構成し、蓋体３と取付口１２とを、グリップ部５６の回転ロックによって接続取付することを特徴とする前記請求項１に記載の排水継ぎ手部材。
【請求項５】
前記ユニット体２を、内部に封水を備える水封式排水トラップ２２としたことを特徴とする前記請求項１乃至請求項４のいずれか一つに記載の排水継ぎ手部材。
【請求項６】
前記ユニット体２を、逆止め弁としたことを特徴とする前記請求項１乃至請求項４のいずれか一つに記載の排水継ぎ手部材。
【請求項７】
前記逆止め弁を、自己閉鎖弁２１としたことを特徴とする前記請求項６に記載の排水継ぎ手部材。
【発明の詳細な説明】
【技術分野】
【０００１】
本発明は、室内側に下水からの異臭や害虫の逆流を防止する為や、継ぎ手本体の下流からの逆流水を上流側へ逆流することを防止する為などで用いられる、継ぎ手本体内の逆止め弁が使用される排水装置に関するものである。
【背景技術】
【０００２】
従来よく知られた排水継ぎ手部材としては、例えば図１４に示したものがある。この排水継ぎ手部材は、例えば洗面ボウルや台所のキッチンシンク、浴室、さらに、下水管等に用いられる排水縦管などに用いられる排水継ぎ手部材である。
この排水継ぎ手部材は、排水管と、継ぎ手本体と、取付口と、ユニット体と、蓋体と、位置決め部と、から構成される。
排水管は、住宅設備機器等から発生する排水を下水管へと排水するための管体であって、本従来例では、洗面ボウルに接続される排水管で、洗面ボウル排水口から床下の排水横管まで接続される管体である。
継ぎ手本体は、排水管の途中位置に接続される継ぎ手であって、内部に排水が流下する為の管体であって、本従来例では、垂直方向に配置される配管である。（排水管の配管位置によって、水平方向に配管されてもかまわない。）
取付口は、排水口に開口されるユニット体の挿入用開口であって、継ぎ手本体の側面方向に開口した導入管である。また、取付口の開口側端部内側面には、後述する蓋体の係合溝と係合してロックする係合凸部を内側方向に向かって突出して構成している。
ユニット体は、本従来例では自己閉鎖弁と呼ばれる、逆止め弁の一種であって自身の弾性力により弁体を封鎖することのできる逆止め弁を使用している。
自己閉鎖弁は、弾性を有する樹脂により形成されており、上流側の端部が開放された軸方向視円形の開口が形成されるとともに、下流側の端部はこの開口から連続して形成され側部が閉じられた一対の弁体の先端を重ねた形状となっている。これにより、外力が加わっていない場合及び下流側から圧力が加わった場合には、弁体の先端が重ね合わされた状態を維持して、下流からの臭気などの上流側への逆流を防ぎ、上流側から排水が流入した場合には、弁体の先端が離反して排水を下流側に流下させることができる。
また、ユニット体には、蓋体に対して回転可能に取り付けられる為の取付部を、ユニット体の側部に円盤状に構成している。
蓋体は、取付口を水密的且つ着脱自在に密封する蓋体であって、前記取付口の係合凸部に係合してロックする係合溝部を構成している。該蓋体の外周には水密パッキンを配置しているから、取付口に蓋体を取り付けた際には水密的に取り付けられる。また、蓋体には、前記ユニット体が回転可能に取り付けられる為の取付爪を蓋体の内方の円周状に複数箇所構成している。また、蓋体の取付爪にユニット体の取付部を取り付けた際には、取付部は円盤状、そして取付爪は円周上に構成されているので、取付部は蓋体に対して回転可能に取り付けられる。
位置決め部は、ユニット体が蓋体に対して回転するため、ユニット体を取付口に取り付ける際に位置決めする為に構成される位置決め用の溝であって、継ぎ手本体の内周面に構成されている。本従来例では、ユニット体の外側部が当該継ぎ手本体の溝に沿うように挿入されることによって、継ぎ手本体に対してのユニット体の方向性が位置決めされる。（特許文献１）
【０００３】
本従来例の排水継ぎ手部材は以下のように施工される。
継ぎ手本体は排水管の途中位置に接着等で取り付けられる。蓋体にはユニット体が回転可能に構成されているので、その状態のまま継ぎ手本体の取付口に挿入する。このとき、ユニット体は蓋体に対して回転するように取り付けられているので、ユニット体の外側部が、継ぎ手本体内の位置決め溝に沿うように蓋体を取付口に挿入する。そうすると、ユニット体は位置決め溝に沿うから、蓋体に対して回転することなく挿入できる。そして、蓋体を取付口に挿入し終えたら、蓋体の取付溝を取付口の取付凸部に係合させ、蓋体を回転させる。そうすると、蓋体の取付溝に沿うように取付凸部が回転し、係合することができる。こうすることで、排水管にユニット体が水密的に取り付けられる。このとき、蓋体はロックするために回転するが、ユニット体は位置決めされているので蓋体のみ回転することができる。このようにして、排水継ぎ手部材は施工される。
また、ユニット体に取り付けられている自己閉鎖弁のメンテナンスや清掃したい際には、取付口の蓋体を取付時とは逆方向に回転させることで取付口の取付凸部が蓋体の取付溝との係合が解除されて、蓋体が取付口から取り外される。このとき、蓋体はロック解除のために回転するが、ユニット体は位置決めされているので蓋体のみ回転することができる。
【０００４】
上記従来例の排水継ぎ手部材は以下のような排水の流れとなる。
洗面ボウルである槽体内に排水が発生すると、槽体底面に開口した排水口から排水管へと排水され、排水管から継ぎ手本体内へと排水が排出される。継ぎ手本体に配置された逆止め弁である自己閉鎖弁内に排水が流入すると、排水の水圧により自己閉鎖弁の弁体が開口し、排水が自己閉鎖弁より下流へと排水される。排水が終了すると、自己閉鎖弁の弁体が自身の弾性により水密的に閉口する。このような状態であると、下水からの排水や臭気、害虫等が、室内側へと逆流することはない。その後、自己閉鎖弁を通過した排水は最終的には下水管へと排水される。
【先行技術文献】
【特許文献】
【０００５】
【特許文献１】特願２０１２−１９１９６号
【発明の概要】
【発明が解決しようとする課題】
【０００６】
前記した従来例の一般的な排水継ぎ手部材は、ユニット体が取り付けられている蓋体と継ぎ手本体とを、蓋体を回転することによる回転係合もしくは回転ネジ螺合によって取り付けられている。蓋体と取付口を回転係合によって取り付けている為、蓋体に取付固定されるユニット体も必然に回転することとなるが、上記従来例ではユニット体を自己閉鎖弁という上下方向（垂直方向）など位置決めせねばならないようなものとしたため、ユニット体は回転不可となる。そこで蓋体とユニット体を回転可能に取り付け、ユニット体を継ぎ手本体に取付時には位置決め固定しておくことで、蓋体を回転させてもユニット体は回転しない構成とすることができた。しかしながらこのような構成であると、蓋体とユニット体は回転するため、継ぎ手本体の取付口にユニット体を挿入する際にユニット体自身が勝手に回転（空回り）して非常に挿入取り付けしにくい状態となってしまう。また、ユニット体自体が誤って（例えば天地逆に）取り付けられるような事態も発生する。また、ユニット体の脱着に関しては業者等のプロ以外に一般の使用者がユニット体内部の適宜メンテナンスや清掃などを行う為、再取付の際に誤って取り付けられることが多発する事態となっていた。
【０００７】
以上のことから、本願発明は以下の点課題を解決する。
１．ユニット体を継ぎ手本体に挿入設置しやすいようにし、施工性を向上させる。
２．蓋体と継ぎ手本体の取付口の取付を簡単・お手軽に行えるようにし、施工性を向上させる。
３．ユニット体が誤って取り付けられることを防止する。
【課題を解決するための手段】
【０００８】
請求項１に記載の排水継ぎ手部材は、管体から構成される取付口を開口した継ぎ手本体１と、継ぎ手本体１内に配置されるユニット体２と、継ぎ手本体１の取付口に着脱自在に取り付けられる、前記ユニット体２と一体的に構成された蓋体３と、蓋体３が継ぎ手本体１に対して位置決めするよう構成される位置決め部４と、から構成される排水継ぎ手部材において、前記継ぎ手本体１に対してユニット体２が位置決めされた状態であって、尚かつ蓋体３が継ぎ手本体１の取付口に着脱自在に取り付ける取付手段５を備えたことを特徴とする排水継ぎ手部材である。
【０００９】
請求項２に記載の排水継ぎ手部材は、前記取付手段５を、蓋体３及び取付口に構成された凸又は凹、及び両者の凸又は凹を挟んで接続するクイックファスナー５２によって構成したことを特徴とする前記段落０００８に記載の排水継ぎ手部材である。
【００１０】
請求項３に記載の排水継ぎ手部材は、前記取付手段５を、蓋体３又は継ぎ手本体１のいずれか一方に構成した係合爪５３と、当該係合爪５３に対応する蓋体３又は継ぎ手本体１のいずれか他方に構成した被係合部５４と、から構成したことを特徴とする前記段落０００８に記載の排水継ぎ手部材である。
【００１１】
請求項４に記載の排水継ぎ手部材は、前記取付手段５を、蓋体３とは別体で構成されたリング状のグリップ部５６を構成し、蓋体３と取付口とを、グリップ部５６の回転ロックによって接続取付することを特徴とする前記段落０００８に記載の排水継ぎ手部材である。
【００１２】
請求項５に記載の排水継ぎ手部材は、前記ユニット体２を、内部に封水を備える水封式排水トラップ２２としたことを特徴とする前記段落０００８乃至段落００１１のいずれか一つに記載の排水継ぎ手部材である。
【００１３】
請求項６に記載の排水継ぎ手部材は、前記ユニット体２を、逆止め弁としたことを特徴とする前記段落０００８乃至段落００１１のいずれか一つに記載の排水継ぎ手部材である。
【００１４】
請求項７に記載の排水継ぎ手部材は、前記逆止め弁を、自己閉鎖弁２１としたことを特徴とする前記段落００１３に記載の排水継ぎ手部材である。
【発明の効果】
【００１５】
請求項１に記載の本発明は、継ぎ手本体１の取付口１２に着脱自在に取り付けられる、ユニット体２と一体的に構成された蓋体３及び、継ぎ手本体１に対してユニット体２が位置決めされた状態であって、尚かつ蓋体３が継ぎ手本体１の取付口１２に着脱自在に取り付ける取付手段５を備えたことから、ユニット体２が継ぎ手本体１に対して回転することなく取付口１２に取り付けられるので、ユニット体２が斜め等に入って誤って設置されるようなことがなくなる。また、蓋体３と取付口１２が回転せずに取り付けることができるようになった。
請求項２に記載の本発明は、取付手段５をクイックファスナー５２によって取り付けることにしたので、ネジ式と比較してトルク管理等不要になるため施工性が向上した。
請求項３に記載の本発明は、蓋体３と継ぎ手本体１を係合爪５３によって取り付けるようにしたことにより、ネジ式と比較してトルク管理等不要になるため施工性が向上した。
請求項４に記載の本発明は、リング状のグリップ部５６を蓋体３とを別体で構成し、更に蓋体３と取付口１２をグリップ部５６の回転ロックで取付接続することにより、ユニット体２が回転せずとも継ぎ手本体１に挿入することが出来、グリップ部５６を回転させるだけで蓋体３を取付口１２に取り付けることができるようになった。
請求項５に記載の本発明は、ユニット体２を排水トラップとしたことから、排水トラップをメンテナンスする際には排水トラップを回転させずとも脱着することができるので、取り外す際に封水がこぼれ落ちるという問題もない。
請求項６、請求項７に記載の本発明は、ユニット体２を逆止め弁や自己閉鎖弁２１としたことから、位置決めする必要性や方向性がある部材を位置決めして簡単に取り付けることが出来るようになった。
【図面の簡単な説明】
【００１６】
【図１】（ａ）実施例１の排水継ぎ手部材の施工状態を示す断面図である。（ｂ）実施例１の排水継ぎ手部材の取付状態を示す断面図である。
【図２】（ａ）実施例１を示す分解斜視図である。（ｂ）実施例１の蓋体を取付口に挿入した状態を示す斜視図である。（ｃ）実施例１の施工完了状態を示す斜視図である。
【図３】（ａ）実施例１の分解断面斜視図である。（ｂ）実施例１の断面斜視図及び取付手段の部分拡大図である。
【図４】（ａ）実施例２の排水継ぎ手部材の施工状態を示す断面図である。（ｂ）実施例１の排水継ぎ手部材の取付状態を示す断面図である。
【図５】（ａ）実施例２を示す分解斜視図である。（ｂ）実施例２の施工完了状態を示す斜視図である。
【図６】（ａ）実施例２の分解断面斜視図である。（ｂ）実施例２の断面斜視図及び取付手段の部分拡大図である。
【図７】（ａ）実施例３の排水継ぎ手部材の施工状態を示す断面図である。（ｂ）実施例３の排水継ぎ手部材の取付状態を示す断面図である。
【図８】（ａ）実施例３を示す分解斜視図である。（ｂ）実施例３の蓋体にグリップ部を係止させた状態を示す斜視図である。（ｃ）実施例３の施工完了状態を示す斜視図である。
【図９】（ａ）実施例３の分解断面斜視図である。（ｂ）実施例３の断面斜視図及び取付手段の部分拡大図である。
【図１０】（ａ）その他の実施例を示す分解斜視図である。（ｂ）その他の実施例を示す蓋体を取付口に挿入取付た状態を示す斜視図である。（ｃ）本図（ｂ）のグリップ部を蓋体に取付係止した状態を示す斜視図である。
【図１１】（ａ）実施例４の排水継ぎ手部材の施工状態を示す断面図である。（ｂ）実施例４の排水継ぎ手部材の取付状態を示す断面図である。
【図１２】（ａ）実施例４を示す分解斜視図である。（ｂ）実施例４の蓋体を取付口に挿入した状態を示す斜視図である。（ｃ）実施例４の施工完了状態を示す斜視図である。
【図１３】（ａ）実施例４の分解断面斜視図である。（ｂ）実施例４の断面斜視図である。
【図１４】従来例を示す断面図である。
【発明を実施するための形態】
【実施例１】
【００１７】
本発明の排水継ぎ手部材は、図１乃至図３に示したものがある。この排水継ぎ手部材は、例えば洗面ボウルや台所のキッチンシンク、浴室、さらに、下水管等に用いられる排水縦管などに用いられる排水継ぎ手部材である。本実施例では洗面ボウルに用いられる排水管７に使用される。
この排水継ぎ手部材は、排水管７と、継ぎ手本体１と、取付口１２と、ユニット体２と、蓋体３と、取付手段５と、位置決め部４と、から構成される。
排水管７は、住宅設備機器等から発生する排水を下水管へと排水するための管体であって、本実施例では、洗面ボウルに接続される排水管７で、洗面ボウル排水口から床下の排水横管まで接続される管体である。
継ぎ手本体１は、排水管７の途中位置に接続される継ぎ手であって、内部に排水が流下する為の管体であって、本実施例では、垂直方向に配置される配管である。（排水管７の配管位置によって、水平方向に配管されてもかまわない。）
取付口１２は、排水口に開口されるユニット体２の挿入用開口であって、継ぎ手本体１の側面方向に開口した導入管である。また、取付口１２の開口端部には、取付手段５としての外側方向に向かって突出して構成される凸としてのフランジ部５が構成されている。
ユニット体２は、本実施例では自己閉鎖弁２１と呼ばれる、逆止め弁の一種であって自身の弾性力により弁体２１１を封鎖することのできる逆止め弁を使用している。
自己閉鎖弁２１は、弾性を有する樹脂により形成されており、上流側の端部が開放された軸方向視円形の開口が形成されるとともに、下流側の端部はこの開口から連続して形成され側部が閉じられた一対の弁体２１１の先端を重ねた形状となっている。これにより、外力が加わっていない場合及び下流側から圧力が加わった場合には、弁体２１１の先端が重ね合わされた状態を維持して、下流からの臭気などの上流側への逆流を防ぎ、上流側から排水が流入した場合には、弁体２１１の先端が離反して排水を下流側に流下させることができる。
また、ユニット体２には、蓋体３に対して図１（ｂ）に示すように回転不能に一体的に構成されている。なお、ここでの一体的とは蓋体３とユニット体２が回転しないように構成することを指すのであって、仮に蓋体３とユニット体２が別体であっても、両者が接着やはめ殺し等などの取付手法によって、回転不能に蓋体３とユニット体２が構成されてもよい。
蓋体３は、取付口１２を水密的且つ着脱自在に密封する円形状の蓋体３であって、外周には水密パッキン６を配置しているから、取付口１２に蓋体３を取り付けた際には水密的に取り付けられる。また、蓋体３には、前記ユニット体２が回転不能に一体的に構成されている。また、蓋体３の外周面には取付手段５としての外側方向に向かって突出して構成されるフランジ部５が構成される。蓋体３の外側面（外周から目視できる部分）には、使用者が脱着しやすいようにツマミ３１を構成している。
取付手段５は、前述の取付口１２に構成したフランジ部５と、蓋体３に構成されたフランジ部５と、両者のフランジ部５を挟持して接続するクイックファスナー５２から構成される。クイックファスナー５２は、図３に示すように例えば特開２０１１−２４７３４７などの技術のように公知である部材であって、例えば金属などから構成される、側面視略Ｃ字状であって、中心部にフランジ部５が挟持されるためのスリットが構成されて成る。当該クイックファスナー５２を、取付口１２に蓋体３を挿入し、両者のフランジ部５同士を対面するように接面させ、取付口１２の側面方向からクイックファスナー５２の端部からフランジ部５を挟持するようクイックファスナー５２を挿入し、クイックファスナー５２のスリットに蓋体３のフランジ部５及び取付口１２のフランジ部５を挟持させてクイックファスナー５２の取付をおこなう。このようにすることで、クイックファスナー５２がフランジ部５を強固に挟持するので、取付口１２と蓋体３の水密的な接続を行うことが出来る。
位置決め部４は、ユニット体２を取付口１２に取り付ける際に位置決めする為に構成される位置決め用の溝であって、継ぎ手本体１の内周面に構成されている。本実施例では、ユニット体２の外側部が当該継ぎ手本体１の溝に沿うように挿入されることによって、継ぎ手本体１に対してのユニット体２の方向性が位置決めされる。
【００１８】
本実施例の排水継ぎ手部材は以下のように施工される。
継ぎ手本体１は排水管７の途中位置に接着等で取り付けられる。図２（ａ）に示すように、蓋体３にはユニット体２が一体的に構成されているので、その状態のまま継ぎ手本体１の取付口１２に挿入する。このとき、ユニット体２は蓋体３に対して回転不能に一体的に構成されているので、作業者が蓋体３を持って作業すれば、ユニット体２が勝手に回転することなく、ユニット体２の外側部が継ぎ手本体１内の位置決め溝に沿うように蓋体３を取付口１２に挿入できる。そうすると、ユニット体２は位置決め溝に沿うから、簡単に挿入できる。そして、蓋体３を取付口１２に挿入し終えたら、蓋体３のフランジ部５と取付口１２のフランジ部５を対向させて接面させる。そして図２（ｂ）のようにクイックファスナー５２の開口した端部をフランジ部５に沿うように挿入させると、クイックファスナー５２のスリットに両者のフランジ部５が挟持され、図２（ｃ）のようにクイックファスナー５２の挿入が終了すれば、フランジ部５同士がクイックファスナー５２によって水密的且つ強固に接続することができる。尚、本実施例では、継ぎ手本体１の上流側とユニット体２の上流側も水密的に接続している。このように接続することによって、蓋体３を回転せずとも取付口１２に取り付けることが出来るので、ユニット体２が傾いたまま挿入設置されたり、位置決めの際にユニット体２が回転して位置決めしにくい、ということがなく、単に蓋体３とユニット体２を継ぎ手本体１に位置決めして挿入するだけの簡単な方法で施工することができるようになった。また、簡単に取り付けることができるので、施工業者等ではなく一般の使用者が簡単且つ誤って取り付けられることもなく継ぎ手本体１内部を清掃やメンテナンスを行うことができるようになった。
【００１９】
上記実施例の排水継ぎ手部材は以下のような排水の流れとなる。
洗面ボウルである槽体内に排水が発生すると、槽体底面に開口した排水口から排水管７へと排水され、排水管７から継ぎ手本体１内へと排水が排出される。継ぎ手本体１に配置された逆止め弁である自己閉鎖弁２１内に排水が流入すると、排水の水圧により自己閉鎖弁２１の弁体２１１が開口し、排水が自己閉鎖弁２１より下流へと排水される。排水が終了すると、自己閉鎖弁２１の弁体２１１が自身の弾性により水密的に閉口する。このような状態であると、下水からの排水や臭気、害虫等が、室内側へと逆流することはない。その後、自己閉鎖弁２１を通過した排水は最終的には下水管へと排水される。
【実施例２】
【００２０】
以下に第二実施例の排水継手部材の実施例を、図面を参照しつつ説明する。
図４乃至図６に記載した本実施例の排水継手部材は、排水管７と、継ぎ手本体１と、取付口１２と、ユニット体２と、蓋体３と、取付手段５と、位置決め部４と、から構成される。
排水管７は、住宅設備機器等から発生する排水を下水管へと排水するための管体であって、本実施例では、洗面ボウルに接続される排水管７で、洗面ボウル排水口から床下の排水横管まで接続される管体である。
継ぎ手本体１は、排水管７の途中位置に接続される継ぎ手であって、内部に排水が流下する為の管体であって、本実施例では、垂直方向に配置される配管である。（排水管７の配管位置によって、水平方向に配管されてもかまわない。）
取付口１２は、排水口に開口されるユニット体２の挿入用開口であって、継ぎ手本体１の側面方向に開口した導入管である。また、取付口１２の開口端部には、取付手段５としての外側方向に向かって突出して構成される被係合部５４が構成されている。
ユニット体２は、本実施例では自己閉鎖弁２１と呼ばれる、逆止め弁の一種であって自身の弾性力により弁体２１１を封鎖することのできる逆止め弁を使用している。
自己閉鎖弁２１は、弾性を有する樹脂により形成されており、上流側の端部が開放された軸方向視円形の開口が形成されるとともに、下流側の端部はこの開口から連続して形成され側部が閉じられた一対の弁体２１１の先端を重ねた形状となっている。これにより、外力が加わっていない場合及び下流側から圧力が加わった場合には、弁体２１１の先端が重ね合わされた状態を維持して、下流からの臭気などの上流側への逆流を防ぎ、上流側から排水が流入した場合には、弁体２１１の先端が離反して排水を下流側に流下させることができる。
また、ユニット体２には、図４（ｂ）に示すように、蓋体３に対して回転不能に一体的に構成されている。なお、ここでの一体的とは蓋体３とユニット体２が回転しないように構成することを指すのであって、仮に蓋体３とユニット体２が別体であっても、両者が接着やはめ殺し等などの取付手法によって、回転不能に蓋体３とユニット体２が構成されてもよい。
蓋体３は、取付口１２を水密的且つ着脱自在に密封する円形状の蓋体３であって、外周には水密パッキン６を配置しているから、取付口１２に蓋体３を取り付けた際には水密的に取り付けられる。また、蓋体３には、前記ユニット体２が回転不能に一体的に構成されている。また、蓋体３の外周面には取付手段５として爪状に構成された係合爪５３を構成する。当該係合爪５３は、前記取付口１２に構成した被係合部５４と着脱自在に係合する。蓋体３の外側面（外周から目視できる部分）には、使用者が脱着しやすいようにツマミ３１を構成している。
取付手段５は、図６に示すように、前述の取付口１２に構成した被係合部５４と、蓋体３に構成された係合爪５３と、から構成される。本実施例では被係合部５４を取付口１２に、係合爪５３を蓋体３に構成しているが、逆に被係合部５４を蓋体３、係合爪５３を継手本体に構成してもよい。また、係合爪５３は蓋体３に一体的に構成されている。
位置決め部４は、ユニット体２を取付口１２に取り付ける際に位置決めする為に構成される位置決め用の溝であって、継ぎ手本体１の内周面に構成されている。本実施例では、ユニット体２の外側部が当該継ぎ手本体１の溝に沿うように挿入されることによって、継ぎ手本体１に対してのユニット体２の方向性が位置決めされる。
【００２１】
本実施例の排水継ぎ手部材は以下のように施工される。
継ぎ手本体１は排水管７の途中位置に接着等で取り付けられる。図５（ａ）に示すように蓋体３にはユニット体２が一体的に構成されているので、その状態のまま継ぎ手本体１の取付口１２に挿入する。このとき、ユニット体２は蓋体３に対して回転不能に一体的に構成されているので、作業者が蓋体３を持って作業すれば、ユニット体２が勝手に回転することなく、ユニット体２の外側部が継ぎ手本体１内の位置決め溝に沿うように蓋体３を取付口１２に挿入できる。そうすると、ユニット体２は位置決め溝に沿うから、簡単に挿入できる。そして、蓋体３を取付口１２に挿入すると、図５（ｂ）に示すように、蓋体３に構成した係合爪５３が取付口１２に構成した被係合部５４に係合する。本実施例では係合爪５３は自身の弾性により被係合部５４の凸部を乗り越えて、被係合部５４の凹部分に係合する構成になっている。このようにして、係合爪５３と被係合部５４の係合によって水密的且つ強固に接続することができる。尚、本実施例では、継ぎ手本体１の上流側とユニット体２の上流側も水密的に接続している。このように接続することによって、蓋体３を回転せずとも取付口１２に取り付けることが出来るので、ユニット体２が傾いたまま挿入設置されたり、位置決めの際にユニット体２が回転して位置決めしにくい、ということがなく、単に蓋体３とユニット体２を継ぎ手本体１に位置決めして挿入するだけの簡単な方法で施工することができるようになった。また、係合爪５３を把持することで係合が解除可能なため、簡単に取付、脱着をすることができるので、施工業者等ではなく一般の使用者が簡単且つ誤って取り付けられることもなく継ぎ手本体１内部を清掃やメンテナンスを行うことができるようになった。
また、本実施例の排水の流れについては前記段落００１９と同内容のため省略する。
【実施例３】
【００２２】
以下に第三実施例の排水装置の実施例を、図面を参照しつつ説明する。
図７乃至図９に記載した本実施例の排水継手部材は、排水管７と、継ぎ手本体１と、取付口１２と、ユニット体２と、蓋体３と、取付手段５と、位置決め部４と、から構成される。
排水管７は、住宅設備機器等から発生する排水を下水管へと排水するための管体であって、本実施例では、洗面ボウルに接続される排水管７で、洗面ボウル排水口から床下の排水横管まで接続される管体である。
継ぎ手本体１は、排水管７の途中位置に接続される継ぎ手であって、内部に排水が流下する為の管体であって、本実施例では、垂直方向に配置される配管である。（排水管７の配管位置によって、水平方向に配管されてもかまわない。）
取付口１２は、排水口に開口されるユニット体２の挿入用開口であって、継ぎ手本体１の側面方向に開口した導入管である。また、取付口１２の開口端部には、取付手段５として、外周面に係合部５５と係合する、溝状の被係合部５４を構成している。
ユニット体２は、本実施例では自己閉鎖弁２１と呼ばれる、逆止め弁の一種であって自身の弾性力により弁体２１１を封鎖することのできる逆止め弁を使用している。
自己閉鎖弁２１は、弾性を有する樹脂により形成されており、上流側の端部が開放された軸方向視円形の開口が形成されるとともに、下流側の端部はこの開口から連続して形成され側部が閉じられた一対の弁体２１１の先端を重ねた形状となっている。これにより、外力が加わっていない場合及び下流側から圧力が加わった場合には、弁体２１１の先端が重ね合わされた状態を維持して、下流からの臭気などの上流側への逆流を防ぎ、上流側から排水が流入した場合には、弁体２１１の先端が離反して排水を下流側に流下させることができる。
また、ユニット体２には、図７（ｂ）にしめすように蓋体３に対して回転不能に一体的に構成されている。なお、ここでの一体的とは蓋体３とユニット体２が回転しないように構成することを指すのであって、仮に蓋体３とユニット体２が別体であっても、両者が接着やはめ殺し等などの取付手法によって、回転不能に蓋体３とユニット体２が構成されてもよい。
蓋体３は、取付口１２を水密的且つ着脱自在に密封する円形状の蓋体３であって、外周には水密パッキン６を配置しているから、取付口１２に蓋体３を取り付けた際には水密的に取り付けられる。また、蓋体３には、前記ユニット体２が回転不能に一体的に構成されている。また、蓋体３の外周面には、後述する取付手段５としてのグリップ部５６を構成している。また、蓋体３は取付口１２に対して回転しないように取り付けられるが、対してグリップ部５６は取付口１２に対して回転可能に取り付けられる。グリップ部５６と蓋体３の取付は、蓋体３に構成したツメ３２にグリップ部５６が回転可能に係止するように取り付けられる。蓋体３の外側面（外周から目視できる部分）には、使用者が脱着しやすいようにツマミ３１を構成している。
取付手段５は、図９に示すように、前述の取付口１２に構成した被係合部５４と、蓋体３に構成されたグリップ部５６と、から構成される。また、グリップ部５６は、蓋体３に構成したツメ３２に回転可能に係止取り付けられ、グリップ部５６の内周面に前記取付口１２の被係合部５４に係合する係合部５５を構成する。本実施例の係合部５５の構造は、前記取付口１２の被係合部５４の溝に合致する凸部を構成している。なお、この係合部５５と被係合部５４の構造は、例えば雌ねじと雄ねじでもよい。
本実施例では被係合部５４を取付口１２に、係合部５５を蓋体３に構成しているが、逆に被係合部５４を蓋体３、係合部５５を継手本体に構成してもよい。また、蓋体３とグリップ部５６の取付構造に関しては、グリップ部５６が蓋体３に対して回転可能に取り付けられていればよいので、例えばはめ殺し形状であってもかまわない。本実施例もはめ殺し形状である。
位置決め部４は、ユニット体２を取付口１２に取り付ける際に位置決めする為に構成される位置決め用の溝であって、継ぎ手本体１の内周面に構成されている。本実施例では、ユニット体２の外側部が当該継ぎ手本体１の溝に沿うように挿入されることによって、継ぎ手本体１に対してのユニット体２の方向性が位置決めされる。
【００２３】
本実施例の排水継ぎ手部材は以下のように施工される。
継ぎ手本体１は排水管７の途中位置に接着等で取り付けられる。図８（ａ）及び図８（ｂ）のように予め工場等で蓋体３のツメ３２にグリップ部５６を回転可能に取り付けておいた状態に係止しておく。そして蓋体３にはユニット体２が一体的に構成されているので、その状態のまま継ぎ手本体１の取付口１２に挿入する。このとき、ユニット体２は蓋体３に対して回転不能に一体的に構成されているので、作業者が蓋体３を持って作業すれば、ユニット体２が勝手に回転することなく、ユニット体２の外側部が継ぎ手本体１内の位置決め溝に沿うように蓋体３を取付口１２に挿入できる。そうすると、ユニット体２は位置決め溝に沿うから、簡単に挿入できる。そして、蓋体３を取付口１２に挿入し、図８（ｃ）に示すように蓋体３に回転可能に取り付けられているグリップ部５６の係合部５５を取付口１２の被係合部５４の溝に合致させ、グリップ部５６を使用者（施工者）が握って回転させ、締め付ける。すると係合部５５が被係合部５４に係合するので、グリップ部５６と取付口１２が蓋体３を介して強固に螺合接続される。このとき、蓋体３は取付口１２に対して回転せず、グリップ部５６のみが回転して取付ることができる。尚、本実施例では、継ぎ手本体１の上流側・下流側と、ユニット体２の上流側・下流側もそれぞれ水密的に接続している。このように接続することによって、蓋体３を回転せずとも取付口１２に取り付けることが出来るので、ユニット体２が傾いたまま挿入設置されたり、位置決めの際にユニット体２が回転して位置決めしにくい、ということがなく、単に蓋体３とユニット体２を継ぎ手本体１に位置決めして挿入するだけの簡単な方法で施工することができるようになった。また、簡単に取り付けることができるので、施工業者等ではなく一般の使用者が簡単且つ誤って取り付けられることもなく継ぎ手本体１内部を清掃やメンテナンスを行うことができるようになった。
また、本実施例の排水の流れについては前記段落００１９と同内容のため省略する。
【実施例４】
【００２４】
本発明の排水継ぎ手部材は、図１１乃至図１３に示したものがある。この排水継ぎ手部材は、例えば洗面ボウルや台所のキッチンシンク、浴室、さらに、下水管等に用いられる排水縦管などに用いられる排水継ぎ手部材である。本実施例では洗面ボウルに用いられる排水管７に使用される。
この排水継ぎ手部材は、排水管７と、継ぎ手本体１と、取付口１２と、ユニット体２と、蓋体３と、取付手段５と、位置決め部４と、から構成される。
排水管７は、住宅設備機器等から発生する排水を下水管へと排水するための管体であって、本実施例では、洗面ボウルに接続される排水管７で、洗面ボウル排水口から床下の排水横管まで接続される管体である。
継ぎ手本体１は、排水管７の途中位置に接続される継ぎ手であって、内部に排水が流下する為の管体であって、本実施例では、垂直方向に配置される配管である。（排水管７の配管位置によって水平方向に配管されてもかまわない。その場合は、ユニット体２である水封式排水トラップ２２の上面に蓋体３が構成され、継ぎ手本体１に対して取付口１２は上面方向に構成され、蓋体３は排水管７に対して上方に引き上げる様にし脱着する。）
取付口１２は、排水口に開口されるユニット体２の挿入用開口であって、継ぎ手本体１の側面方向に開口した導入管である。また、取付口１２の開口端部には、取付手段５としての外側方向に向かって突出して構成される凸としてのフランジ部５が構成されている。
ユニット体２は、本実施例では、内部に排水の一部を貯水することによって封水を形成し、結果的に排水管７をシールすることで、下水からの臭気や害虫を室内側へ逆流させない水封式排水トラップ２２を使用している。本実施例では箱体形状であって、内部に上壁から下方にむけて通水部分を有して垂下した隔壁及び低壁から上部にむかって通水部分を有して構成した隔壁を構成し、内部に封水を貯水する形状としている。
また、ユニット体２は、蓋体３に対して回転不能に一体的に構成されている。なお、ここでの一体的とは蓋体３とユニット体２が回転しないように構成することを指すのであって、仮に蓋体３とユニット体２が別体であっても、両者が接着やはめ殺し等などの取付手法によって、回転不能に蓋体３とユニット体２が構成されてもよい。また、本実施例での蓋体３は、ユニット体２である水封式排水トラップ２２と一体的に構成さているが、ここでの蓋体３とは取付口１２を水密的に密閉する蓋部分を指して蓋体３とし、ユニット体２のフランジ部５１より外側（露出部分）が蓋体３となる。
蓋体３は、取付口１２を水密的且つ着脱自在に密封する円形状の蓋体３であって、外周には水密パッキン６を配置しているから、取付口１２に蓋体３を取り付けた際には水密的に取り付けられる。また、蓋体３には、前記ユニット体２が回転不能に一体的に構成されている。また、蓋体３の外周面には取付手段５としての外側方向に向かって突出して構成されるフランジ部５が構成される。本実施例ではツマミ３１は構成されていないが、蓋体３の外側面（外周から目視できる部分）には、使用者が脱着しやすいようにツマミ３１を適宜構成してもかまわない。
取付手段５は、前述の取付口１２に構成したフランジ部５と、蓋体３に構成されたフランジ部５と、両者のフランジ部５を挟持して接続するクイックファスナー５２から構成される。クイックファスナー５２は、例えば特開２０１１−２４７３４７などの技術のように公知である部材であって、例えば金属などから構成される、側面視略Ｃ字状であって、中心部にフランジ部５が挟持されるためのスリットが構成されて成る。また、ユニット体２の上流及び下流と、継ぎ手本体１は水密パッキンにより水密化されている。当該クイックファスナー５２を、取付口１２に蓋体３を挿入し、両者のフランジ部５同士を対面するように接面させ、取付口１２の側面方向からクイックファスナー５２の端部からフランジ部５を挟持するようクイックファスナー５２を挿入し、クイックファスナー５２のスリットに蓋体３のフランジ部５及び取付口１２のフランジ部５を挟持させてクイックファスナー５２の取付をおこなう。このようにすることで、クイックファスナー５２がフランジ部５を強固に挟持するので、取付口１２と蓋体３の水密的な接続を行うことが出来る。
位置決め部４は、ユニット体２を取付口１２に取り付ける際に位置決めする為に構成される位置決め用の傾斜面であって、本実施例では、取付口１２に構成した傾斜面と、ユニット体２に構成した傾斜面が合致するように構成している。傾斜面が合致しなければ、ユニット体２は取付口１２に取り付けることが出来ないように構成している。
【００２５】
本実施例の排水継ぎ手部材は以下のように施工される。
継ぎ手本体１は排水管７の途中位置に接着等で取り付けられる。図１２（ａ）のように、蓋体３にはユニット体２が一体的に構成されているので、その状態のまま継ぎ手本体１の取付口１２に挿入する。このとき、ユニット体２は蓋体３に対して回転不能に一体的に構成されているので、作業者が蓋体３を持って作業すれば、ユニット体２が勝手に回転することなく、ユニット体２の外側部が継ぎ手本体１内の位置決め溝に沿うように蓋体３を取付口１２に挿入できる。そうすると、ユニット体２は位置決め用の傾斜に沿うように簡単に挿入できる。そして図１２（ｂ）のように蓋体３を取付口１２に挿入し終えたら、蓋体３のフランジ部５と取付口１２のフランジ部５を対向させて接面させる。そしてクイックファスナー５２の開口した端部をフランジ部５に沿うように挿入させると、クイックファスナー５２のスリットに両者のフランジ部５が挟持され、図１２（ｃ）のようにクイックファスナー５２の挿入が終了すれば、フランジ部５同士がクイックファスナー５２によって水密的且つ強固に接続することができる。このように接続することによって、蓋体３を回転せずとも取付口１２に取り付けることが出来るので、ユニット体２が傾いたまま挿入設置されたり、位置決めの際にユニット体２が回転して位置決めしにくいことがなく、単に蓋体３をユニット体２を継ぎ手本体１に位置決めして挿入するだけの簡単な方法で施工することができるようになった。また、水封式排水トラップ２２をユニット体２に用いる際には、脱着時に貯水した排水がこぼれ落ちるようなこともない。また、簡単に取り付けることができるので、施工業者等ではなく一般の使用者が簡単且つ誤って取り付けられることもなく継ぎ手本体１内部を清掃やメンテナンスを行うことができるようになった。
【００２６】
上記実施例の排水継ぎ手部材は以下のような排水の流れとなる。
洗面ボウルである槽体内に排水が発生すると、槽体底面に開口した排水口から排水管７へと排水され、排水管７から継ぎ手本体１内へと排水が排出される。継ぎ手本体１に配置された水封式排水トラップ２２内に排水が流入すると、上壁から垂下した隔壁の通水隙間から、低壁から上方にむけて構成した隔壁内に排水が通過し、隔壁の通水隙間を通過して排水は継ぎ手本体１外へと排水され、排水管７を介して最終的には下水管へと排水される。排水が終了すると、低壁から上方に向かって構成した隔壁の高さまで排水が貯水して封水を形成し、上壁から垂下した隔壁が構成されていることにより排水管７は封水によって排水管７内部をシールすることとなる。このような状態であると、下水からの排水や臭気、害虫等が、室内側へと逆流することはない。
【００２７】
本発明は前記した実施例のほか、特許請求の範囲を越えない範囲で適宜変更は可能である。
例えば、前記実施例３の排水継ぎ手部材では、リング状のグリップ部５６を蓋体３側に構成しているが、例えば継ぎ手本体１の取付口１２側の外周にグリップ部５６を構成しても良い。また、グリップ部５６を継ぎ手本体１やユニット体２と完全に切り離した部材としても構わない。
また、前記実施例１、実施例４の排水継ぎ手部材では、クイックファスナー５２によって挟持する箇所を凸状のフランジ部５としたが、例えば切り溝状に構成した凹状溝であってもかまわない。この場合はクイックファスナー５２を当該凹溝にレール状にはめ込むことによって取り付けることができる。
また、前記実施例２の排水継ぎ手部材では、係合爪５３を蓋体３に、被係合部５４を取付口１２に構成したが、係合爪５３や被係合部５４のいずれかを継ぎ手本体１の側部に構成しても構わない。
また、前記実施例では、水封式排水トラップ２２や自己閉鎖弁２１をユニット体２として使用しているが、このユニット体２は、適宜例えば逆流防止弁（スイング式逆止め弁、リフト式逆止め弁、フロート式逆止め弁などであってもかまわない。
また、前記実施例３では、グリップ部５６を予め蓋体３に取り付けてから施工（回転締め付け）を行っているが、図１０に示すように蓋体３とグリップ部５６は別にしておき、先に取付口１２に蓋体３を挿入取り付けしてからグリップ部５６をツメ３２を介して取付、グリップ部５６を施工（回転締め付け）してもよい。
【符号の説明】
【００２８】
１      継ぎ手本体
１２    取付口
２      ユニット体
２１    自己閉鎖弁
２１１  弁体
２２    水封式排水トラップ
３      蓋体
３１    ツマミ
３２    ツメ
４      位置決め部
５      取付手段
５１    フランジ部
５２    クイックファスナー
５３    係合爪
５４    被係合部
５５    係合部
５６    グリップ部
６      水密パッキン
７      排水管
【図１】
2014198978.tif 000003
【図２】
2014198978.tif 000004
【図３】
2014198978.tif 000005
【図４】
2014198978.tif 000006
【図５】
2014198978.tif 000007
【図６】
2014198978.tif 000008
【図７】
2014198978.tif 000009
【図８】
2014198978.tif 000010
【図９】
2014198978.tif 000011
【図１０】
2014198978.tif 000012
【図１１】
2014198978.tif 000013
【図１２】
2014198978.tif 000014
【図１３】
2014198978.tif 000015
【図１４】
2014198978.tif 000016